(57)【要約】【課題】内部時計の時刻を、ＧＰＳ受信機により受信した標準時刻情報により、要求される現在の正確な時刻に確実に補正することができるエレベータ時刻補正システムを提供することができる。【解決手段】エレベータ時刻補正システム４０は、エレベータの乗りかご２の上または乗りかご２の周辺部に設置されているＧＰＳ受信機１と乗りかご内制御装置３とを有し、乗りかご内制御装置３は、ＧＰＳ受信機１に時刻受信指令８Ｓを送信する時刻受信指令機能部８と、内部時計７と、内部時計７の時刻を補正する時刻補正機能部１０を備え、ＧＰＳ受信機１は時刻受信指令８Ｓに基づいて標準時刻情報ＳＲの受信を試行して、ＧＰＳ受信機１は受信状態と受信の成功時に取得した標準時刻情報ＳＲを時刻受信指令機能部８に送信し、時刻補正機能部１０が標準時刻情報ＳＲにより内部時計７の時刻を補正する。【選択図】図２
2009220928.tif 000002
【特許請求の範囲】
【請求項１】
エレベータの時刻を補正するエレベータ時刻補正システムであって、
前記エレベータの前記乗りかご上または前記乗りかごの周辺部に設置されている全地球測位システムの受信機と、
前記全地球測位システムの受信機に対して信号線で接続されている前記エレベータの乗りかご内制御装置と、を有し、
前記乗りかご内制御装置は、
前記全地球測位システムの受信機に時刻受信指令を送信する時刻受信指令機能部と、
内部時計と、
前記内部時計の時刻を補正する時刻補正機能部と、を備え、
前記全地球測位システムの受信機は、前記時刻受信指令に基づいて前記標準時刻情報の受信を試行して、前記標準時刻情報の受信状態と前記標準時刻情報の受信の成功時に取得した前記標準時刻情報を前記時刻受信指令機能部に送信し、前記標準時刻情報の受信の成功時に取得した前記標準時刻情報により前記時刻補正機能部が前記内部時計の時刻を補正することを特徴とするエレベータ時刻補正システム。
【請求項２】
前記乗りかご内制御装置は、
前記エレベータの主制御盤に信号線で接続され、前記標準時刻情報の受信時に、前記受信状態が悪く前記標準時刻情報の受信に失敗した場合には、前記主制御盤に乗りかご移動指令を送信して、前記乗りかご移動指令に基づいて前記主制御盤により前記乗りかごを現在停止している階床より別の階床に移動させる乗りかご移動指令機能部を備え、
前記全地球測位システムの受信機は、前記乗りかごの移動後に再度前記標準時刻情報の受信を試行して、再び前記標準時刻情報の受信に失敗した場合には前記乗りかごの移動後に再度前記標準時刻情報の受信を再試行することを特徴とする請求項１に記載のエレベータ時刻補正システム。
【請求項３】
前記時刻受信指令機能部は、前記時刻受信指令の作成条件の設定データと現在時刻情報を利用して前記時刻受信指令を作成し、前記時刻受信指令機能部は、前記全地球測位システムの受信機との間で前記受信状態と前記標準時刻情報を送受信し、
前記乗りかご移動指令機能部は、前記乗りかご移動指令の作成条件の設定データと現在の前記エレベータの運行状態を利用して前記乗りかご移動指令を作成し、前記乗りかご移動指令機能部は、前記主制御盤との間で前記乗りかご移動指令と前記エレベータの運行状態を送受信することを特徴とする請求項２に記載のエレベータ時刻補正システム。
【請求項４】
前記乗りかご内制御装置は、
乗りかご内音声出力装置と接続され、前記内部時計の前記時刻補正を行った場合に前記乗りかご内音声出力装置により前記乗りかご内の利用客に前記時刻補正を行ったことおよび前記現在時刻情報を知らせて、その後設定された条件に基づいて前記乗りかご内の前記利用客に前記現在時刻情報を知らせる時刻出力機能部を有することを特徴とする請求項２または請求項３に記載のエレベータ時刻補正システム。
【請求項５】
前記乗りかご内制御装置は、
前記時刻受信指令の作成条件の設定データおよび前記乗りかご移動指令の作成条件の設定データを変更するための端末を有することを特徴とする請求項３または請求項４に記載のエレベータ時刻補正システム。
【請求項６】
前記全地球測位システムの受信機は、前記全地球測位システムの電波を受信する電波受信機能部と、受信した前記全地球測位システムの電波より前記標準時刻情報を取得する標準時刻情報取得機能部と、を有することを特徴とする請求項１〜請求項５のいずれか１つに記載のエレベータ時刻補正システム。
【発明の詳細な説明】
【技術分野】
【０００１】
本発明は、エレベータ時刻補正システムに関し、特に全地球測位システム（Ｇｌｏｂａｌ  Ｐｏｓｉｔｉｏｎｉｎｇ  Ｓｙｓｔｅｍ：ＧＰＳ）受信機（以下、ＧＰＳ受信機という）により受信した標準時刻情報により内部時計の時刻を補正するエレベータ時刻補正システムに関する。
【背景技術】
【０００２】
従来のエレベータは各制御装置を備えている。各制御装置の内部時計の時刻を補正する手段としては、公衆電話回線を介して標準時刻情報を取得して、この標準時刻情報に基づいて内部時計の時刻を補正するシステム方式がある。
【０００３】
また、各制御装置の内部時計の時刻を補正する別の手段としては、機械室や昇降路内に固定して設置されたＧＰＳ受信機により標準時刻情報を取得して、この標準時刻情報に基づいて内部時計の時刻を補正するシステム方式もある。
【０００４】
このようなエレベータの内部時計の時刻を補正する関連する技術としては、特許文献１と特許文献２がある。特許文献１に記載されている技術では、エレベータ監視装置の受信装置が、標準時刻電波送信局から送信される標準時刻電波またはＧＰＳ衛星から送信されるＧＰＳ電波に含まれる標準時刻信号を受信することで、エレベータ監視装置の時計ＩＣに対して時刻データの補正を行う。
【０００５】
また、特許文献２に記載されている技術では、エレベータ制御装置のネットワーク接続手段は、マスタ時計からビル内のネットワークを介して時刻校正情報を取得して、エレベータ制御装置の時計の時刻を、ビルの基準時刻に合わせるようになっている。
【特許文献１】特開２００４−２５０１１６号公報
【特許文献２】特開平１０−３６０１６号公報
【発明の開示】
【発明が解決しようとする課題】
【０００６】
しかしながら、上述したように標準時刻情報を取得して内部時計の時刻の補正をするシステムでは、下記に示す問題がある。
【０００７】
公衆電話回線を介して標準時刻情報を取得して時刻の補正をするシステム方式では、公衆電話回線に接続するための通信装置が別途必要であり公衆電話回線を介して標準時刻情報を取得するには通信費がかかるので、高価になってしまう。
【０００８】
また、特許文献１に記載されているＧＰＳ受信機により標準時刻情報を取得して時刻の補正をするシステム方式では、ＧＰＳ受信機の設置位置が機械室や昇降路内に常に固定されているので、エレベータの周囲環境の変化によりＧＰＳ受信機の受信状態が悪化して正常な受信が困難になった場合には、保守員がＧＰＳ受信機の設置位置を調整し直す必要があり、作業が面倒である。
【０００９】
さらに、特許文献１に記載されている技術では、マスタ時計からビル内のネットワークを介して時刻校正情報を取得していだけである。
【００１０】
本発明は上記課題を解決するためになされたものであり、本発明の目的は、内部時計の時刻を、ＧＰＳ受信機により受信した標準時刻情報により、要求される現在の正確な時刻に確実に補正することができるエレベータ時刻補正システムを提供することができる。
【課題を解決するための手段】
【００１１】
本発明のエレベータ時刻補正システムの第１の態様は、エレベータの時刻を補正するエレベータ時刻補正システムであって、
前記エレベータの前記乗りかご上または前記乗りかごの周辺部に設置されている全地球測位システムの受信機と、
前記全地球測位システムの受信機に対して信号線で接続されている前記エレベータの乗りかご内制御装置と、を有し、
前記乗りかご内制御装置は、
前記全地球測位システムの受信機に時刻受信指令を送信する時刻受信指令機能部と、
内部時計と、
前記内部時計の時刻を補正する時刻補正機能部と、を備え、
前記全地球測位システムの受信機は、前記時刻受信指令に基づいて前記標準時刻情報の受信を試行して、前記標準時刻情報の受信状態と前記標準時刻情報の受信の成功時に取得した前記標準時刻情報を前記時刻受信指令機能部に送信し、前記標準時刻情報の受信の成功時に取得した前記標準時刻情報により前記時刻補正機能部が前記内部時計の時刻を補正することを特徴とする。
【００１２】
本発明のエレベータ時刻補正システムの第２の態様は、前記乗りかご内制御装置は、
前記エレベータの主制御盤に信号線で接続され、前記標準時刻情報の受信時に、前記受信状態が悪く前記標準時刻情報の受信に失敗した場合には、前記主制御盤に乗りかご移動指令を送信して、前記乗りかご移動指令に基づいて前記主制御盤により前記乗りかごを現在停止している階床より別の階床に移動させる乗りかご移動指令機能部を備え、
前記全地球測位システムの受信機は、前記乗りかごの移動後に再度前記標準時刻情報の受信を試行して、再び前記標準時刻情報の受信に失敗した場合には前記乗りかごの移動後に再度前記標準時刻情報の受信を再試行することを特徴とする。
【００１３】
本発明のエレベータ時刻補正システムの第３の態様は、前記時刻受信指令機能部は、前記時刻受信指令の作成条件の設定データと現在時刻情報を利用して前記時刻受信指令を作成し、前記時刻受信指令機能部は、前記全地球測位システムの受信機との間で前記受信状態と前記標準時刻情報を送受信し、
前記乗りかご移動指令機能部は、前記乗りかご移動指令の作成条件の設定データと現在の前記エレベータの運行状態を利用して前記乗りかご移動指令を作成し、前記主制御盤との間で前記乗りかご移動指令と前記エレベータの運行状態を送受信することを特徴とする。
【００１４】
本発明のエレベータ時刻補正システムの第４の態様は、前記乗りかご内制御装置は、
乗りかご内音声出力装置と接続され、前記内部時計の前記時刻補正を行った場合に前記乗りかご内音声出力装置により前記乗りかご内の利用客に前記時刻補正を行ったことおよび前記現在時刻情報を知らせて、その後設定された条件に基づいて前記乗りかご内の前記利用客に前記現在時刻情報を知らせる時刻出力機能部を有することを特徴とする。
【００１５】
本発明のエレベータ時刻補正システムの第５の態様は、前記乗りかご内制御装置は、
前記時刻受信指令の作成条件の設定データおよび前記乗りかご移動指令の作成条件の設定データを変更するための端末を有することを特徴とする。
【００１６】
本発明のエレベータ時刻補正システムの第６の態様は、前記全地球測位システムの受信機は、前記全地球測位システムの電波を受信する電波受信機能部と、受信した前記全地球測位システムの電波より前記標準時刻情報を取得する標準時刻情報取得機能部と、を有することを特徴とする。
【発明の効果】
【００１７】
本発明のエレベータ時刻補正システムによれば、内部時計の時刻を、ＧＰＳ受信機により受信した標準時刻情報により、要求される現在の正確な時刻に確実に補正することができる。
【発明を実施するための最良の形態】
【００１８】
以下、本発明のエレベータ時刻補正システムの好ましい実施形態について、図面を参照して詳細に説明する。
【００１９】
図１は、本発明のエレベータ時刻補正システムの好ましい実施形態を備えるエレベータシステムの構成を示す図である。
【００２０】
図１に示すエレベータシステム３０は、昇降路内を昇降可能であり乗客Ｍが乗車するための乗りかご２と、ロープ３１と、吊り合い重りとしてのカウンターウエイト３２と、巻上機３３と、シーブ３４と、エレベータ時刻補正システム４０とを有している。
【００２１】
図１に示すように、乗りかご２は、ロープ３１の一端部に連結され、カウンターウエイト３２はロープ３１の他端部に連結されている。ロープ３１は巻上機３３に吊り下げられている。すなわち、乗りかご２は、ロープ３１を介してカウンターウエイト３２に対して反対側に配置されており、乗りかご２とカウンターウエイト３２は巻上機３３とシーブ３４を用いてロープ３１により吊ることで、つるべ式に重量的に吊り合いを取って設置されている。
【００２２】
図１に示すエレベータ時刻補正システム４０の構成を説明する。
【００２３】
エレベータ時刻補正システム４０は、ＧＰＳ受信機１と、乗りかご内制御装置３と、主制御盤５と、乗りかご内音声出力装置１３を備える。
【００２４】
図１に示すように、ＧＰＳ受信機１は、衛星からのＧＰＳ電波をより受信し易くするために、乗りかご２上または乗りかご２の周辺部に設置されている。図１の例では、ＧＰＳ受信機１は、乗りかご２の上に設置されている。
【００２５】
乗りかご内制御装置３は、乗りかご２内に設置されている。ＧＰＳ受信機１は、信号線４を用いて乗りかご内制御装置３に対して電気的に接続されている。乗りかご内音声出力装置１３は、信号線１３Ｂを用いて乗りかご内制御装置３に対して電気的に接続されている。
【００２６】
図１に示すように、ＧＰＳ受信機１は、衛星からのＧＰＳ電波を受信する電波受信機能部１Ｂと、受信したＧＰＳ電波に含まれる標準時刻情報ＳＲを取得する標準時刻情報取得機能部１Ｃとを有している。従って、このＧＰＳ受信機１は、衛星からのＧＰＳ電波を受信することで、ＧＰＳ電波から標準時刻情報ＳＲを取得して、標準時刻情報ＳＲを受信する際の受信状態および受信が成功した時に取得される標準時刻情報ＳＲを、乗りかご内制御装置３側に送信することができるようになっている。標準時刻情報ＳＲを受信する際の受信状態とは、ＧＰＳ電波の受信に成功した状態であるか、ＧＰＳ電波の受信に失敗した状態であるかのいずれかである。
【００２７】
また、ＧＰＳ受信機１は、乗りかご２が現在の階床から別の階床に移動後に、再度標準時刻情報ＳＲの受信を試行して、再び標準時刻情報ＳＲの受信に失敗した場合には乗りかごが現在の階床からさらに別の階床に移動後に再度標準時刻情報ＳＲの受信を再試行することができる。
【００２８】
図１に示すように、乗りかご内制御装置３は、エレベータの主制御盤５に対して信号線６を用いて電気的に接続されている。
【００２９】
図２は、図１に示すエレベータ時刻補正システム４０の乗りかご内制御装置３の構成例を示すブロック図である。
【００３０】
図２に示す乗りかご内制御装置３は、内部時計７と、時刻受信指令機能部８と、乗りかご移動指令機能部９と、時刻補正機能部１０と、時刻出力機能部１１と、専用端末１２を有する。
【００３１】
内部時計７は、時刻補正機能部１０と時刻出力機能部１１に接続されている。時刻受信指令機能部８は、時刻補正機能部１０と時刻出力機能部１１と内部時計７と専用端末１２と乗りかご移動指令機能部９に接続されている。専用端末１２は、時刻受信指令機能部８と乗りかご移動指令機能部９に接続されている。
【００３２】
また、主制御盤５とＧＰＳ受信機１と乗りかご内音声出力装置１３は、乗りかご内制御装置３内ではなく乗りかご内制御装置３の外側に配置されている。乗りかご内音声出力装置１３は、例えば図１の乗りかご２内に配置されたスピーカ装置である。
【００３３】
図２に示す主制御盤５は、乗りかご移動指令機能部９に対して、信号線６により接続されている。ＧＰＳ受信機１は、時刻受信指令機能部８に対して、信号線４により接続されている。乗りかご内音声出力装置１３は、時刻出力機能部１１に対して、信号線１３Ｂにより接続されている。ＧＰＳ受信機１は、信号線４を用いて乗りかご内制御装置３の時刻受信指令機能部８に接続されている。
【００３４】
図２に示すように、内部時計７は、時刻補正機能部１０から与えられる時刻補正指令制御信号ＳＫによって現在の正確な時刻に補正することができる。この内部時計７は、他の機能部である例えば時刻受信指令機能部８と、乗りかご移動指令機能部９と、時刻補正機能部１０と、時刻出力機能部１１と、専用端末１２に対して、現在の正確な時刻である現在時刻情報ＳＨを出力する役割を有する。
【００３５】
図２に示す時刻受信指令機能部８は、時刻受信指令８Ｓを作成して、この時刻受信指令８ＳをＧＰＳ受信機１に対して送信する。ＧＰＳ受信機１は、この時刻受信指令８Ｓに基づいて、標準時刻情報ＳＲの受信を試行する。この時刻受信指令機能部８には、時刻受信指令８Ｓの作成条件の設定データをセットすることができる。時刻受信指令機能部８は、この時刻受信指令８Ｓの作成条件の設定データおよび内部時計７から受信した現在時刻情報ＳＨから、時刻受信指令８Ｓを作成することができる。
【００３６】
図２に示すＧＰＳ受信機１は、衛星からのＧＰＳ電波を受信することで、ＧＰＳ電波の受信が成功した場合にはＧＰＳ電波より標準時刻情報ＳＲを取得して、標準時刻情報ＳＲを受信する際の受信状態およびＧＰＳ電波の受信が成功した場合の標準時刻情報ＳＲを、乗りかご内制御装置３側の時刻受信指令機能部８に送信する。
【００３７】
このようにして時刻受信指令機能部８は、ＧＰＳ受信機１より標準時刻情報ＳＲを受信する際の受信状態および標準時刻情報ＳＲを受信して、標準時刻情報ＳＲの受信が成功した時には標準時刻情報ＳＲを時刻補正機能部１０に対して送信し、しかも標準時刻情報ＳＲの受信成功情報ＳＴを時刻出力機能部１１に送信する。
【００３８】
逆に、時刻受信指令機能部８が標準時刻情報ＳＲの受信が失敗した時には、時刻受信指令機能部８は受信失敗情報ＳＦを乗りかご移動指令機能部９に送信するようになっている。
【００３９】
図２に示す乗りかご移動指令機能部９は、時刻受信指令機能部８より受信した受信失敗情報ＳＦに基づいて乗りかご移動指令ＳＧを作成して、この乗りかご移動指令ＳＧを主制御盤５に送信する。また、乗りかご移動指令機能部９には、乗りかご移動指令ＳＧの作成条件の設定データをセットすることができる。乗りかご移動指令機能部９は、この乗りかご移動指令ＳＧの作成条件の設定データおよび主制御盤５より受信した現在のエレベータの運行状態情報ＳＢから、乗りかご移動指令ＳＧを作成して、この乗りかご移動指令ＳＧを主制御盤５に送信するようになっている。
【００４０】
図２に示す時刻補正機能部１０は、時刻受信指令機能部８より標準時刻情報ＳＲを受信して、標準時刻情報ＳＲに基づいて内部時計７の時刻を現在の正確な時刻になるように補正することができる。
【００４１】
時刻出力機能部１１は、内部時計７より受信した現在時刻情報ＳＨと時刻受信指令機能部８より受信した受信成功情報ＳＴを利用して、乗りかご内音声出力装置１３に駆動信号ＳＤを与えることで、乗りかご内音声出力装置１３を作動させて音声を発生させることができる。これにより、乗りかご内音声出力装置１３は、音声により図１に示す乗りかご内の乗客（利用客）Ｍに対して、現在の正確な時刻が設定されたことと、現在の正確な時刻を通報サービスするようになっている。
【００４２】
図２に示す専用端末１２は、保守員が専用端末１２を操作することにより、時刻受信指令機能部８における時刻受信指令８Ｓの作成条件の設定データと、乗りかご移動指令機能部９における乗りかご移動指令ＳＧの作成条件の設定データを、それぞれ必要に応じて変更することができる。
【００４３】
次に、図３と図２を参照して、上述したエレベータ時刻補正システム４０によるエレベータ時刻の補正方法を説明する。
【００４４】
図３に示す判断１４では、図２に示す乗りかご内制御装置３の時刻受信指令機能部８は、この時刻受信指令８Ｓの作成条件の設定データおよび内部時計７から受信した現在時刻情報ＳＨから、時刻受信指令８Ｓを作成するどうかを判断する。例えば、時刻受信指令８Ｓの作成条件の設定データにおいて、内部時計７を前回正確な時刻に設定した時から所定の期間が経過した場合には、時刻受信しれ８Ｓを作成すると判断することができる。
【００４５】
時刻受信指令８Ｓを作成すると判断した場合には処理１５に移る。この処理１５では、時刻受信指令機能部８は、ＧＰＳ受信機１に対して時刻受信指令８Ｓを送信して、ＧＰＳ受信機１はこの時刻受信指令８Ｓに基づいて標準時刻情報ＳＲの受信を試行する。ＧＰＳ受信機１は、この試行後に、乗りかご内制御装置３の時刻受信指令機能部８に対してＧＰＳ電波に含まれる標準時刻情報ＳＲの受信状態と、標準時刻情報ＳＲの受信成功時には標準時刻情報ＳＲを送信する。
【００４６】
次に、判断１６では、乗りかご内制御装置３の時刻受信指令機能部８は、ＧＰＳ受信機１から送られた標準時刻情報ＳＲの受信状態より標準時刻情報ＳＲの受信が成功したかあるいは受信が失敗かを判断する。
【００４７】
標準時刻情報ＳＲの受信が成功した場合には処理１７に進む。この処理１７では、乗りかご内制御装置３の時刻補正機能部１０は、受信した標準時刻情報ＳＲに基づいて内部時計７の時刻を現在の正確な時刻に補正して終了する。
【００４８】
一方、処理１６において標準時刻情報ＳＲの受信が失敗した場合には、判断１８に進む。この判断１８では、乗りかご内制御装置３の乗りかご移動指令機能部９は、乗りかご移動指令ＳＧの作成条件の設定データ、および主制御盤５より受信した現在のエレベータの運行状態情報ＳＢから、乗りかご移動指令ＳＧの作成条件が成立しているかを判断する。すなわち、乗りかご移動指令機能部９は、乗りかご移動指令ＳＧの作成条件の設定データと主制御盤５より受信した現在のエレベータの運行状態より、乗りかご移動指令ＳＧを作成するかどうかを判断する。
【００４９】
判断１８における判断により、乗りかご移動指令ＳＧの作成条件が成立している場合には、処理１９に進む。この処理１９では、乗りかご内制御装置３の乗りかご移動指令機能部９は、主制御盤５に乗りかご移動指令ＳＧを送信する。これにより、主制御盤５はこの乗りかご移動指令ＳＧに基づいて、図１に示す乗りかご２の巻上機３３の電動モータに制御信号を与えて、乗りかご２を現在の階床から別の階床に移動させる。そしてこの処理１９が終われば最初の判断１４に戻って、上述した判断１４、処理１５、判断１６，処理１７、判断１８を再度行う。
【００５０】
このような図３に示す手順を開始してから手順が終了する条件としては、処理１７を行って乗りかご内制御装置３が内部時計７の時刻を現在の正確な時刻に補正できた場合と、判断１４において時刻受信指令８Ｓの作成条件が成立していない（ＮＯ）場合と、判断１８において乗りかご移動指令ＳＧの作成条件が成立していない（ＮＯ）場合である。
【００５１】
本発明のエレベータ時刻補正システムの実施形態では、ＧＰＳ受信機１における標準時刻情報ＳＲの受信状態が悪く標準時刻情報ＳＲの正常な受信が困難な場合には、主制御盤５がエレベータの乗りかご２を現在の階床から別の階床へ移動させることで、ＧＰＳ受信機１における標準時刻情報ＳＲの受信位置を積極的に変えて受信環境を改善することができる。これにより、ＧＰＳ受信機１は、ＧＰＳ電波含まれる標準時刻情報ＳＲの正常な受信を行うことができる位置を確保できる。
【００５２】
一般に、ＧＰＳ受信機１を機械室や昇降路内に固定して設置すると、周囲環境の変化によりＧＰＳ受信機１における標準時刻情報ＳＲの受信状態が悪化して正常な標準時刻情報ＳＲの受信が困難になった場合には、保守員がＧＰＳ受信機１の設置位置を変える等の保守コストが発生してしまう。
【００５３】
しかし、本発明の実施形態では、このような保守コストの発生がなく、ＧＰＳ受信機１における標準時刻情報ＳＲの受信状態が悪く標準時刻情報ＳＲの正常な受信が困難な場合には、単に乗りかご２を移動することで受信環境を改善することができる。
【００５４】
このため、エレベータシステムが受信環境の変化しやすい場所、例えば街中に設置された場合であっても、ＧＰＳ電波に含まれる標準時刻情報ＳＲの正常な受信を行うことができる。標準時刻情報ＳＲの正常な受信ができたときには、内部時計７の時刻は、要求される現在の正確な時刻に確実に補正することができる。これにより、エレベータ本体や周辺機器の制御をおこなうための現在の正確な時刻の通知および利用者への現在の正確な時刻の通知サービスを行うことができる。
【００５５】
そして、時刻出力機能部１１は、内部時計７より受信した現在時刻情報ＳＨと時刻受信指令機能部８より受信した受信成功情報ＳＴを利用して、乗りかご内音声出力装置１３に駆動信号ＳＤを与えることで乗りかご内音声出力装置１３を作動させる。これにより、乗りかご内音声出力装置１３は、音声により図１に示す乗りかご内の乗客Ｍに対して、内部時計７の時刻が現在の正確な時刻に修正されたことと、現在の正確な時刻とを、通報してサービスすることができる。
【００５６】
本発明の実施形態のエレベータの時刻を補正するエレベータ時刻補正システム４０では、エレベータの乗りかご２の上または乗りかご２の周辺部に設置されている全地球測位システムの受信機１と、全地球測位システムの受信機１に対して信号線４で接続されているエレベータの乗りかご内制御装置３と、を有している。
【００５７】
この乗りかご内制御装置３は、全地球測位システムの受信機１に時刻受信指令８Ｓを送信する時刻受信指令機能部８と、内部時計７と、内部時計７の時刻を補正する時刻補正機能部１０とを備えている。全地球測位システムの受信機１は、時刻受信指令８Ｓに基づいて標準時刻情報ＳＲの受信を試行して、全地球測位システムの受信機１は、ＧＰＳ電波に含まれる標準時刻情報ＳＲの受信状態と、標準時刻情報ＳＲの受信の成功時に取得した標準時刻情報ＳＲとを時刻受信指令機能部８に送信し、時刻補正機能部１０は受信の成功時に取得した標準時刻情報ＳＲにより内部時計７の時刻を補正するようになっている。これにより、内部時計の時刻は、ＧＰＳ受信機により受信した標準時刻情報により、要求される現在の正確な時刻に確実に補正することができる。
【００５８】
乗りかご内制御装置３は、エレベータの主制御盤５に信号線６で接続され、標準時刻情報ＳＲの受信時に、受信状態が悪く標準時刻情報ＳＲの受信に失敗した場合には、主制御盤５に乗りかご移動指令ＳＧを送信して、乗りかご移動指令ＳＧに基づいて主制御盤５により乗りかご２を現在停止している階床より別の階床に移動させる乗りかご移動指令機能部９を備える。全地球測位システムの受信機１は、乗りかご２の移動後に前記標準時刻情報ＳＲの受信を試行して、再び標準時刻情報ＳＲの受信に失敗した場合には乗りかご２の移動後に再度標準時刻情報ＳＲの受信を再試行する。これにより、標準時刻情報ＳＲの受信を試行して失敗した時には、乗りかご２の移動を行うことで受信環境を改善して、内部時計の時刻を要求される現在の正確な時刻になるように、内部時計の時刻をさらに確実に補正することができる。
【００５９】
また、時刻受信指令機能部８は、時刻受信指令８Ｓの作成条件の設定データと現在時刻情報を利用して時刻受信指令ＳＲを作成し、時刻受信指令機能部８は、全地球測位システムの受信機１と受信状態と標準時刻情報ＳＲを送受信し、乗りかご移動指令機能部９は、乗りかご移動指令ＳＧの作成条件の設定データと現在のエレベータの運行状態を利用して乗りかご移動指令ＳＧを作成し、主制御盤５の間で乗りかご移動指令ＳＧとエレベータの運行状態を送受信する。これにより、時刻受信指令ＳＲと乗りかご移動指令ＳＧが作成された場合に、内部時計の時刻が要求される現在の正確な時刻になるように、内部時計の時刻をさらに確実に補正することができる。
【００６０】
さらに、時刻出力機能部１１は、乗りかご内音声出力装置１３と接続されており、内部時計７の時刻補正を行った場合に、乗りかご内音声出力装置１３により乗りかご２内の利用客（乗客）Ｍに時刻補正を行ったことおよび現在時刻情報を知らせ、その後設定された条件に基づいて乗りかご２内の利用客に現在時刻情報を知らせる。これにより、乗りかご２内の利用客Ｍに対して、時刻補正を行ったことおよび現在時刻情報を、その後設定された条件、例えば一定時間ごとに、知らせるサービスを行うことができる。
【００６１】
乗りかご内制御装置３は、時刻受信指令の作成条件の設定データおよび乗りかご移動指令の作成条件の設定データを変更する端末１２を有する。これにより、保守員は端末１２を必要に応じて操作して、各設定データの変更を行うことができる。
【００６２】
全地球測位システムの受信機１は、全地球測位システムの電波を受信する機能部１Ｂと、受信した全地球測位システムの電波により標準時刻情報ＳＲを取得する機能部１Ｃとを有する。これにより、全地球測位システムの電波により標準時刻情報ＳＲを取得して、標準時刻情報ＳＲを時刻受信指令機能部８に送信することができる。
【００６３】
なお、本発明は、上記実施の形態そのままに限定されるものではなく、実施段階ではその要旨を逸脱しない範囲で構成要素を変形して具体化できる。図１に示すＧＰＳ受信機１は、エレベータの乗りかご２上に設置されているが、これに限らず乗りかご２の周辺部、例えば乗りかご２の側面部等に設置されていても良い。あるいは、ＧＰＳ受信機１は、エレベータの乗りかご２上と乗りかご２の周辺部の両方に設置して、いずれかのＧＰＳ受信機１の内の受信状態の良いＧＰＳ受信機１を選択して、この選択したＧＰＳ受信機１から標準時刻情報ＳＲを取得することも可能である。
【００６４】
さらに、本発明の実施の形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【図面の簡単な説明】
【００６５】
【図１】本発明のエレベータ時刻補正システムの好ましい実施形態を備えるエレベータシステムの構成を示す図である。
【図２】図１に示すエレベータ時刻補正システムの乗りかご内制御装置の構成例を示す図である。
【図３】エレベータ時刻補正システムの時刻補正手順の一例を示すフロー図である。
【符号の説明】
【００６６】
１      ＧＰＳ受信機
２      乗りかご
３      乗りかご内制御装置
４      信号線
５      主制御盤
６      信号線
７      内部時計
８      時刻受信指令機能部
９      乗りかご移動指令機能部
１０    時計補正機能部
１１    時刻出力機能部
１２    専用端末
１３    乗りかご内音声出力装置
３１    ロープ
３２    カウンターウエイト
３３    巻上機
４０    エレベータ時刻補正システム
８Ｓ    時刻受信指令
ＳＲ    標準時刻情報
【図１】
2009220928.tif 000003
【図２】
2009220928.tif 000004
【図３】
2009220928.tif 000005